(57)【要約】 【課題】  使用者の使い勝手がよく、代金が確実に支払われて代金回収のリスクが無く、さらに通信の費用を低減することができる決済システムを提供する。【解決手段】  患者は、利用者識別情報が記憶される磁気カード１１を形態し、この磁気カード１１を取引端末６のカード読書き手段２３に読取らせて、決済を行う。決済時に支払うべき決済金額Ｃｊは、加算して累積され、累積金額Ｃが求められる。利用者識別情報と累積金額Ｃとは、伝送手段１４によって決済センター１６の処理手段３６に伝送される。患者毎の口座４４から累積金額Ｃを引落とす。【選択図】      図１
2008040561.tif 000002
【特許請求の範囲】
【請求項１】
施設を利用する施設利用者毎に割り当てられる利用者識別情報が記憶される情報記録媒体から利用者識別情報を読取る読取り手段と、
施設利用者が支払うべき決済金額Ｃｊを入力する入力手段と、
複数の利用者識別情報を記憶し、決済金額Ｃｊを累積して得られる累積金額Ｃを各利用者識別情報に関連付けて記憶する記憶手段と、
前記記憶手段に記憶されている複数の利用者識別情報の中から、前記読取り手段によって読取った利用者識別情報に一致する利用者識別情報を検索する検索手段と、
前記記憶手段において、前記検索手段によって検索される利用者識別情報に関連付けて記憶される累積金額Ｃに、前記入力手段によって入力される決済金額Ｃｊを加算する累積金額演算手段と、
予め定められる時刻Ｔになると、利用者識別情報と、利用者識別情報に関連付けられる累積金額Ｃとを含む利用情報を伝送する伝送手段と、
決済センターに設けられ、伝送手段によって伝送される利用情報を受信し、利用情報に基づいて、利用情報に含まれる利用者識別情報が割り当てられている施設利用者の口座から、利用情報に含まれる累積金額Ｃの金銭を引落とす決済手段とを含むことを特徴とする決済システム。
【請求項２】
前記累積金額演算手段によって算出される累積金額Ｃが、予め定める上限金額Ｂを超える場合、施設利用者との取引を中止する決済禁止手段をさらに含むことを特徴とする請求項１に記載の決済システム。
【請求項３】
施設を利用する施設利用者毎に割り当てられる利用者識別情報と、決済に利用可能な残額Ａｉが記憶される情報記録媒体から利用者識別情報を読取り、かつ前記情報記録媒体に対し残額Ａｉを読書きする読書き手段と、
施設利用者が支払うべき決済金額Ｃｊを入力する入力手段と、
前記情報記録媒体から読取った残額Ａｉから前記入力手段によって入力される決済金額Ｃｊを減算し、前記読書き手段によって、減算後の残額Ａｉを前記情報記録媒体に更新書き込みする決済処理手段と、
予め定められるチャージ条件を充足すると、前記情報記録媒体に記憶されている残額Ａｉと予め定められる上限金額Ｂとの差額であるチャージ金額Ｄを演算する補充金額演算手段と、
前記補充金額演算手段で演算されるチャージ金額Ｄを残額Ａｉに加算し、加算された残額Ａｉを前記読書き手段によって、前記情報記録媒体に更新書き込みするチャージ手段と、
利用者識別情報とチャージ金額Ｄとを含む引落し情報を伝送する伝送手段と、
決済センターに設けられ、前記引落し情報を受信し、該引落し情報に含まれる利用者識別情報が割り当てられている施設利用者の口座から、前記チャージ情報に含まれるチャージ金額Ｄの金銭を引落とす決済手段とを含むことを特徴とする決済システム。
【請求項４】
前記決済処理手段によって算出される残額Ａｉが負の値になる場合、施設利用者との取引を中止する決済禁止手段をさらに含むことを特徴とする請求項３に記載の決済システム。
【請求項５】
前記利用者情報に含まれるチャージ金額Ｄに基づいて、前記引落し情報に含まれる利用者識別情報が割り当てられている施設利用者の口座の残高Ｆがチャージ金額Ｄ以上であるか否かを判定する残高判定手段をさらに含み、
残高判定手段の判定結果に基づいて、チャージ手段に、残高Ａｉにチャージ金額Ｄを加算させ、加算された残額Ａｉを更新書き込みさせ、決済手段に前記口座からチャージ金額Ｄを引落とさせるチャージ決定手段をさらに含むことを特徴とする請求項３または４に記載の決済システム。
【請求項６】
チャージ条件は、予め定められる時刻Ｔを経過後に、読書き手段によって、初めての情報記録媒体からの残額Ａｉを読取ったことであることを特徴とする請求項３〜５のいずれか１つに記載の決済システム。
【請求項７】
チャージ条件は、前記決済処理手段によって算出される減算後の残額Ａｉが負の値になることであることを特徴とする請求項３〜５のいずれか１つに記載の決済システム。
【請求項８】
前記施設および決済センターと異なる場所に設けられ、施設利用者の口座の残高Ｆに関連する残高関連情報を表示可能な遠隔地閲覧装置をさらに含み、
前記決手段は、口座から金銭を引落とすと、前記遠隔地閲覧装置に残高関連情報を伝送することを特徴とする請求項１〜７のいずれか１つに記載の決済システム。
【発明の詳細な説明】
【技術分野】
【０００１】
本発明は、磁気カード、ＩＣカードおよびＩＣタグなどの情報記録媒体で代金決済を行うことができる決済システムに関する。
【背景技術】
【０００２】
従来から、病院および老人ホームなどの施設において、食堂および売店などの代金決済は、現金によって行われている。このような現金での決済は、施設内における食堂および売店などにおいて、現金管理に手間がかかり、また現金が盗難される恐れがある。このような問題を解決するためにキャッシュレス化が望まれている。
【０００３】
キャッシュレス化を実現する従来の第１の技術として、プリペイドカードで決済する方法がある。プリペイドカードは、磁気カードであり、予め定めた金額、たとえば１万円の金額が最初に記録されている。プリペイドカードは、代金決済時に磁気リーダに読取らせることによって、記憶されている金額から代金が減算される。
【０００４】
従来の第２の技術として、ＩＣチップが組み込まれたＩＣカードで決済する方法がある。ＩＣカードには、支払い可能な金額が記録されており、ＩＣカードをカードリーダーに通すことによって、代金決済および記憶されている金額の補充ができる（たとえば特許文献１参照）。
【０００５】
また従来の第３の技術として、従来の第２の技術と同様にＩＣカードによって、決済する方法である。ＩＣカードに支払いすべき後払い金額を記録しておき、入金機を用いて、若しくは施設の会計課で定期的にまたは定額的に入金する。このような入金によって、後払い金額を零または減額して相殺する（たとえば特許文献２参照）。
【０００６】
また従来の第４の技術として、銀行などの金融機関で発行されるデビットカードで決済する方法である。一般取引口座のほかに、利用者の使い過ぎを防止するために１日の利用限度額が低く設定されたデビット取引専用口座が設けられる。デビットカードで決済する場合、カード読取り機によってデビットカードから読取った情報と、ＰＯＳレジに入力される代金とが、公衆回線網を介して金融機関の勘定処理センターに送られ、読取った情報に対応するデビット取引専用口座から代金が引落とされる。１日の利用限度額が設定されているデビット取引専用口座から代金を引落とすので、実質的にデビットカードで支払い可能な金額に制限が設けられる（たとえば特許文献３参照）。
【０００７】
【特許文献１】特開２００１−１４３９９
【特許文献２】特許３０４１７６５
【特許文献３】特開２０００−２４２７１７
【発明の開示】
【発明が解決しようとする課題】
【０００８】
従来の第１の技術の決済方法では、プリペイドカードに記憶されている残額が代金に満たなくなると、代金決済が不能になる。それ故、残額が代金に満たなくなる前に、新たなプリペイドカードを買い足す必要が生じる。その結果、プリペイドカードを買い足すための現金を所持していなければならず、キャッシュレス化が不充分である。また度ある毎に、プリペイドカードを買い足す必要があり、使用者、たとえば病人および老人にとって使い勝手が悪く、不便である。
【０００９】
従来の第２の技術の決済方法では、前述のプリペイドカードのように買い足すための現金を所持している必要はなくなるが、多額の金額が補充されているＩＣカードを紛失する、または盗難の際の損失が大きい。特に病人および老人は、紛失などし易く、このような人々に対して何ら考慮されていない。また盗難などされた場合、多額の金額がＩＣカードに補充されて使用されるおそれがある。
【００１０】
従来の第３の技術のＩＣカードによる後払い式決済では、カード会社などが代金回収のリスクが伴う。また盗難などによって、悪用されるおそれがある。従来の第４の技術の決済方法では、デビットカードで決済毎に、公衆回線網を介して、金融機関の勘定処理センターと通信しなければならない。したがって通信費が膨らむ。
【００１１】
本発明の目的は、使用者の使い勝手がよく、代金が確実に支払われて代金回収のリスクが無く、さらに通信の費用を低減することができる決済システムを提供することである。
【課題を解決するための手段】
【００１２】
本発明は、施設を利用する施設利用者毎に割り当てられる利用者識別情報が記憶される情報記録媒体から利用者識別情報を読取る読取り手段と、
施設利用者が支払うべき決済金額Ｃｊを入力する入力手段と、
複数の利用者識別情報を記憶し、決済金額Ｃｊを累積して得られる累積金額Ｃを各利用者識別情報に関連付けて記憶する記憶手段と、
前記記憶手段に記憶されている複数の利用者識別情報の中から、前記読取り手段によって読取った利用者識別情報に一致する利用者識別情報を検索する検索手段と、
前記記憶手段において、前記検索手段によって検索される利用者識別情報に関連付けて記憶される累積金額Ｃに、前記入力手段によって入力される決済金額Ｃｊを加算する累積金額演算手段と、
予め定められる時刻Ｔになると、利用者識別情報と、利用者識別情報に関連付けられる累積金額Ｃとを含む利用情報を伝送する伝送手段と、
決済センターに設けられ、伝送手段によって伝送される利用情報を受信し、利用情報に基づいて、利用情報に含まれる利用者識別情報が割り当てられている施設利用者の口座から、利用情報に含まれる累積金額Ｃの金銭を引落とす決済手段とを含むことを特徴とする決済システムである。
【００１３】
また本発明は、前記累積金額演算手段によって算出される累積金額Ｃが、予め定める上限金額Ｂを超える場合、施設利用者との取引を中止する決済禁止手段をさらに含むことを特徴とする。
【００１４】
また本発明は、施設を利用する施設利用者毎に割り当てられる利用者識別情報と、決済に利用可能な残額Ａｉが記憶される情報記録媒体から利用者識別情報を読取り、かつ前記情報記録媒体に対し残額Ａｉを読書きする読書き手段と、
施設利用者が支払うべき決済金額Ｃｊを入力する入力手段と、
前記情報記録媒体から読取った残額Ａｉから前記入力手段によって入力される決済金額Ｃｊを減算し、前記読書き手段によって、減算後の残額Ａｉを前記情報記録媒体に更新書き込みする決済処理手段と、
予め定められるチャージ条件を充足すると、前記情報記録媒体に記憶されている残額Ａｉと予め定められる上限金額Ｂとの差額であるチャージ金額Ｄを演算する補充金額演算手段と、
前記補充金額演算手段で演算されるチャージ金額Ｄを残額Ａｉに加算し、加算された残額Ａｉを前記読書き手段によって、前記情報記録媒体に更新書き込みするチャージ手段と、
利用者識別情報とチャージ金額Ｄとを含む引落し情報を伝送する伝送手段と、
決済センターに設けられ、前記引落し情報を受信し、該引落し情報に含まれる利用者識別情報が割り当てられている施設利用者の口座から、前記チャージ情報に含まれるチャージ金額Ｄの金銭を引落とす決済手段とを含むことを特徴とする決済システムである。
【００１５】
また本発明は、前記決済処理手段によって算出される残額Ａｉが負の値になる場合、施設利用者との取引を中止する決済禁止手段をさらに含むことを特徴とする。
【００１６】
また本発明は、前記利用者情報に含まれるチャージ金額Ｄに基づいて、前記引落し情報に含まれる利用者識別情報が割り当てられている施設利用者の口座の残高Ｆがチャージ金額Ｄ以上であるか否かを判定する残高判定手段をさらに含み、
残高判定手段の判定結果に基づいて、チャージ手段に、残高Ａｉにチャージ金額Ｄを加算させ、加算された残額Ａｉを更新書き込みさせ、決済手段に前記口座からチャージ金額Ｄを引落とさせるチャージ決定手段をさらに含むことを特徴とする。
【００１７】
また本発明は、チャージ条件は、予め定められる時刻Ｔを経過後に、読書き手段によって、初めての情報記録媒体からの残額Ａｉを読取ったことであることを特徴とする。
【００１８】
また本発明は、チャージ条件は、前記決済処理手段によって算出される減算後の残額Ａｉが負の値になることであることを特徴とする。
【００１９】
また本発明は、前記施設および決済センターと異なる場所に設けられ、施設利用者の口座の残高Ｆに関連する残高関連情報を表示可能な遠隔地閲覧装置をさらに含み、
前記決手段は、口座から金銭を引落とすと、前記遠隔地閲覧装置に残高関連情報を伝送することを特徴とする。
【発明の効果】
【００２０】
本発明によれば、施設利用者は、読取り手段に情報記録媒体を読取らせるだけで、決済を行うことができ、現金を持ち歩く必要がなく、使い勝手がよい。また予め定められる時刻Ｔ毎に、利用者情報を伝送し口座引落しするので、従来の第４の技術のように決済金額Ｃｊを決済の度に決済管理サーバ１８に伝送する必要がなく、通信費の節約が可能である。
【００２１】
本発明によれば、累積金額Ｃが、予め定められる上限金額Ｂを超える場合、決済禁止手段によって、施設利用者との取引が中止される。これによって施設利用者が、１回または複数回の取引によって、上限金額Ｂ以上の金額を使用することを防止できる。施設利用者の無駄遣いを防止することができ、また紛失または盗難などにあって、第三者に悪用され、多額の金銭が口座から引落とされることを防止できる。
【００２２】
本発明によれば、施設内利用者は、読書き手段に情報記録媒体を読取らせるだけで、決済を行うことができ、また自動的に情報記録媒体の残高Ａｉが補充され、現金を持ち歩く必要がなく、使い勝手がよい。また予め定められるチャージ条件を充足すると、チャージ金額Ｄが演算され、口座から前記チャージ金額Ｄが引落とされるので、従来の第４の技術のように決済金額Ｃｊをその度毎に決済手段に伝送する必要がなく、通信費の節約が可能である。
【００２３】
本発明によれば、情報記録媒体に記憶される残額Ａｉが負の値になる場合、決済禁止手段によって、施設利用者との取引が中止される。これによって施設利用者の無駄遣いを防止することができ、また紛失または盗難などにあって、第三者に悪用され、多額の金銭が口座から引落とされることを防止できる。
【００２４】
本発明によれば、残高判定手段は、チャージ金額Ｄに基づいて、読取った利用者識別情報が割り当てられる施設利用者の口座の残高Ｆがチャージ金額Ｄ以上であるか否かを判定する。チャージ決定手段は、前記残高判定手段の判定結果に基づいて、チャージ金額Ｄを残額Ａｉに加算し、チャージ手段によって加算される残額Ａｉを情報記録媒体に更新書き込みする。さらにチャージ決定手段は、決済手段に前記施設利用者の口座の残高Ｆからチャージ金額Ｄを引落とさせる。
【００２５】
このように口座の残高Ｆがチャージ額Ｄ以上であるか否か、つまりチャージ金額Ｄが口座から引落とせるか否かを判定した上で、チャージ金額Ｄの加算および引落しが行われる。これによって施設利用者の過度の利用に伴い、施設利用者が負債を抱え、代金の徴収不能になることを防止できる。これよって代金が回収できないリスクを防止できる。
【００２６】
本発明によれば、予め定められる時刻Ｔ経過後に、読書き手段が、情報記録媒体から初めて残額Ａｉを読取ったとき、チャージ金額Ｄが加算され、加算される残額Ａｉが情報記録媒体に更新書込みされる。これによって予め定められる時刻Ｔ経過毎に、残額Ａｉにチャージ金額Ｄを加算することができ、施設利用者が自ら金額の補充をする必要がなく、使い勝手がよい。病人および老人は、情報記録媒体に金額を補充する作業が困難なことが多く、このような作業が伴わないので、特に使い勝手がよい。特に予め定められる時刻Ｔ経過後、初めて読取る、つまり決済するときにチャージが行なわれので、必要なときに必要な分だけ金額が補充され、過剰に金額が補充されることがなく、紛失または盗難にあった場合であっても、損害を小さくすることができる。
【００２７】
本発明によれば、決済処理手段によって算出される残額Ａｉが負の値になると、チャージ金額Ｄが残額Ａｉに加算され、加算された残額Ａｉが情報記録媒体に更新書込みされる。これによって情報記録媒体の残額Ａｉが不足することが防止され、常に決済が可能である。また施設利用者が自ら金額の補充をする必要がなく、使い勝手がよい。病人および老人は、情報記録媒体に金額を補充する作業が困難なことが多く、このような作業が伴わないので、特に使い勝手がよい。
【００２８】
本発明によれば、決済手段が、口座から金銭を引落とすと、施設利用者の口座の残高に関連する残高関連情報が遠隔地閲覧装置に伝送され、この残高関連情報が遠隔地閲覧装置によって表示される。遠隔地閲覧装置は、施設および決済センターと異なる場所に設置されている。これによって施設および決済センターにいなくとも、遠隔地閲覧装置があれば、施設利用者の口座の残高Ｆに関連する残高関連情報を見ることができる。
【発明を実施するための最良の形態】
【００２９】
図１は、本発明の実施の一形態である決済システム１の全体の構成を簡略化して示すブロック図である。決済システム１は、病院２などの施設を利用する施設利用者、たとえば病院２内の患者および看護者が、施設内の店舗で、前記施設利用者が携帯する情報記録媒体である磁気カード（以下、単に「カード」という）１１によって決済を行うシステムであり、現金での代金支払いが不要なシステムである。ただしカード１１だけに限定されず、ＩＣタグ１２を用いて決済可能なシステムであってもよい。また施設利用者が決済した代金は、時刻Ｔになるまで累積されており、時刻Ｔになると、一期に前記施設利用者の口座から引落とされる。決済決済システム１は、取引端末６と、病院内管理サーバ８と、決済管理サーバ１６とを有する。本実施の形態では、施設が病院２であり、施設利用者が患者および看護者である場合について説明する。ただし前記の使用状況は、単に一例に過ぎず、たとえば施設がアムーズメントパーク、および複合商業施設であってもよい。
【００３０】
取引端末６は、病院２内の各店舗である食堂３、売店４およびレンタル室５などにそれぞれ設置されている。各取引端末６は、販売時点情報管理（Point Of Sales；略称ＰＯＳ）機能を有し、ライン７を介して病院管理サーバ（以下、単に「管理サーバ」という）８に通信可能に接続される。管理サーバ８は、病院２内に設置され、光ファイバー回線網またはＡＤＳＬ回線網などの公衆回線網である通信網１３を含む伝送手段１４を介して、決済管理サーバ１６および遠隔地閲覧装置１８に通信可能に接続されている。決済管理サーバ１６は、金融機関などが有する、口座引落しなどを行う決済センター１５に設置されている。本実施の形態では、遠隔地閲覧装置１８は、患者の家族がいる家１７にそれぞれ設置され、たとえばパーソナルコンピュータによって実現される。
【００３１】
図２は、決済システム１の具体的な構成を示すブロック図である。患者が所持するカード１１には、磁気ストライプ２１が設けられ、この磁気ストライプ２１に患者および看護者毎に割り当てられ、各患者および看護者を識別するための利用者識別情報が記録されている。取引端末６は、磁気カード１１によって決済するための端末装置である。取引端末６は、処理手段２２と、カード読書き手段２３と、入力手段２４と、時計手段２５と、記憶手段２６と、表示手段２７とを有する。
【００３２】
処理手段２２は、マイクロコンピュータなどによって実現される。読取り手段であるカード読書き手段２３は、たとえばカードリーダーライタであって、処理手段２２に通信可能に接続されている。カード読書き手段２３は、カード１１を挿入して磁気ストライプ２１を通過させることによって、カード１１に記憶されている利用者識別情報を読取り、処理手段２２に伝送するとともに、処理手段２２から伝送される情報を、カード１１に更新書き込みする。入力手段２４は、たとえばテンキーであり、処理手段２２に通信可能に接続されている。入力手段２４は、各店舗の店員が使用内容と決済金額Ｃｊとを入力可能に構成され、入力された使用内容および決済金額Ｃｊを処理手段２２に伝送する。入力手段２４は、バーコードリーダなどであってもよく、商品に表示されているバーコードまたはＱＲコードなどのデータキャリアから使用内容および決済金額Ｃｊを読取って、処理手段２２に出力する構成であってもよい。使用内容は、たとえば購入する商品の種類、数量、またはレンタル品の使用時間などであり、決済金額Ｃｊは、購入する商品に対して支払うべき金額である。
【００３３】
時計手段２５は、日時を刻み、処理手段２２に通信可能に接続されている、時計手段２５は、日時の情報を処理手段２２に伝送する。時計手段２５は、カード読書き手段２３がカード１１から利用者識別情報を読取った時刻、および入力手段２４によって使用内容および決済金額Ｃｊが入力された時刻など、取引端末６の各構成が動作した時刻を表す時刻情報を得るために用いられる。記憶手段２６は、種々の情報、たとえば各商品の名称および各商品の値段が記憶されており、処理手段２２に通信可能に接続されている。表示装置２７は、たとえば液晶パネルであり、処理手段２２に通信可能に接続され、記憶手段２６に記憶される情報などを表示する。処理手段２２は、記憶手段２６に記憶されるプログラムを実行することによって、種々の動作を実現する。
【００３４】
管理サーバ８は、患者および看護者が病院２内で利用した使用内容、決済金額Ｃｊおよび決済金額Ｃｊを累積して得られる累積金額Ｃを管理するサーバ装置である。管理サーバ８は、処理手段３１、入力手段３２、時計手段３３、記憶手段３５および通信手段３４を有する。
【００３５】
処理手段３１は、１または複数の取引端末６の処理手段２２に、ライン７を介して接続される。処理手段３１には、入力手段３２、時計手段３３および記憶手段３５が接続される。入力手段３２は、たとえばキーボードであり、情報を入力可能に構成され、時計手段３３は、取引端末６の時計手段２５と同様の機能を有する。記憶手段３５は、種々の情報が記憶され、また情報を書き込み可能に構成されている。具体的には、記憶手段３５は、患者および看護者の利用者識別情報を記憶し、この利用者識別情報に関連付けて累積金額Ｃおよび決済禁止情報が記憶されている。決済禁止情報とは、前記利用者識別情報が割り当てられている患者および看護者の決済を禁止することを示す情報である。処理手段３１は、記憶手段２６に記憶されるプログラムを実行することによって、管理サーバ８の各構成を動作させる。通信手段３４は、通信網１３に通信可能に接続されている。
【００３６】
決済管理サーバ１６は、患者および看護者の口座の出入金および預金を管理するサーバ装置である。決済管理サーバ１６は、処理手段３６と、通信手段３７と、入力手段３８と、入金手段３９と、時計手段４０と、記憶手段４１と、表示手段４２と、預金記憶手段４３とを有する。
【００３７】
処理手段３６は、たとえばマイクロコンピュータであり、通信手段３７を介して通信網１３に接続される。入力手段３８は、たとえばキーボードであり、情報を入力可能に構成されている。入金手段３９は、たとえば現金自動預払機（Automatic Teller Machine：略称ＡＴＭ）などであり、口座に入金可能に構成されている。時計手段４０は、取引端末６の時計手段２５と同様の機能を有する。記憶手段４１は、種々の情報が記憶され、また情報を書き込み可能に構成されている。表示手段４２は、各種の情報を表示可能に構成されている。預金記憶手段４３は、患者および看護者の口座である決済用口座４４（以下、単に「口座４４」という）に預けられている預金の残高Ｆを、各患者および看護者毎に記憶している。
【００３８】
処理手段３６は、入力手段３８と、入金手段３９と、時計手段４０と、記憶手段４１と、表示手段４２と、預金記憶手段４３とに通信可能に接続され、記憶手段４１に記憶されるプログラムを実行することによって、決済管理サーバ１６の各構成を動作させる。具体的には、処理手段３６は、入金手段３９によって入金額Ｆｉが入金されると、預金記憶手段４３に記憶される預金額Ｆに入金額Ｆｉを加算して、加算された残高Ｆを現在の口座４４の残高Ｆとして記憶する。また処理手段３６は、管理サーバ８から引落し指示を受けると、預金記憶手段４３に記憶される残高Ｆから指示された金額を減算し、減算された残高Ｆを現在の口座４４の残高Ｆとして記憶する。このようにして口座４４から引落し、決済を行う。
【００３９】
遠隔地閲覧装置１８は、患者および看護者の家族の家１７などにそれぞれ設けられ、患者および看護者の病院２内で、磁気カード１１を用いて決済した使用内容、決済金額Ｃｊおよび累積金額Ｃなどの残高関連情報を前記家族が閲覧するための装置である。遠隔地閲覧装置１８は、処理手段４７と、通信手段４６と、入力手段４８と、記憶手段４９と、表示手段５１とを有する。
【００４０】
処理手段４７は、たとえばマイクロコンピュータであり、通信手段４６を介して通信網１３に接続されている。入力手段４８は、たとえばキーボードであり、種々の情報を入力可能に構成され、表示手段４８は、たとえば液晶ディスプレイであり、種々の情報を表示可能に構成されている。記憶手段４９は、種々の情報が記憶され、または情報を書き込み可能に構成されている。処理手段４７は、入力手段４８、記憶手段４９および表示手段５１が通信可能に接続され、記憶手段４９に記憶されているプログラムを実行することによって、遠隔地閲覧装置１８の各構成を動作させる。
【００４１】
取引端末６の処理手段２２は、累積演算手段および決済禁止手段に相当する。また管理サーバの処理手段３１は、検索手段に相当する。伝送手段１４は、通信網１３および通信手段３４，３７，４６を含んで構成される。決済管理サーバ１６の処理手段４７は、決済手段に相当する。
【００４２】
図３は、取引端末６と管理サーバ８とが協働して行う決済処理の手順を示すフローチャートである。処理手段２２によって取引端末６の動作が行われ、処理手段３１によって管理サーバ８の動作が行われる。以下では、決済システム１を用いて決済する方法について説明する。
【００４３】
食堂３、売店４およびレンタル室５などで備えられるカード読書き手段２３において、患者が読取動作を行ったか否か、具体的には、カード読書き手段２３にカード１１を挿入し通過させる動作を患者が行ったか否かを判定する。読取動作がない場合、繰返し読取動作があったか否かを判定する。読取動作があった場合、決済処理が開始される。
【００４４】
決済処理が開始されると、ステップａ１へ移行する。ステップａ１では、カード読書き手段２３によって前記読取動作が行われたカード１１から利用者識別情報を読取る。以下、カード読書き手段２３で読取った利用者識別情報を「読取情報」という。利用者識別情報を読取ると、ステップａ２へ移行する。
【００４５】
ステップａ２では、処理手段２２が管理サーバ８の処理手段３１に、前記読取情報が割り当てられている患者が、施設利用者であるか否かを判断させる。処理手段３１は、記憶手段３５に記憶される複数の利用者識別情報（以下では、記憶手段３５に記憶されている利用者識別情報を「登録情報」という）の中から、読取情報に一致する登録情報を検索する。一致する登録情報がある場合、施設利用者であると判断され、ステップａ３へ移行する。
【００４６】
ステップａ３では、検索された登録情報に決済禁止情報が関連付けて記憶されているか否かを判断する。登録情報に決済禁止情報が関連付けて記憶されていないと判断すると、施設利用者であり、決済禁止情報が付加されていないことおよび前記登録情報に関連付けられている累積金額Ｃを取引端末６の処理手段２２に伝送し、ステップａ４へ移行する。
【００４７】
ステップａ４では、処理手段２２が表示手段２７に患者が取引可能であることを表示する。店員は、この表示を確認し、入力手段２４によって、使用内容および使用内容ごとの決済金額Ｃｊを入力する。このとき処理手段２２は、時計手段２５から時刻情報を取得する。処理手段２２は、入力された使用内容および決済金額Ｃｊと時計手段２５から取得した時刻情報とを関連付けて記憶手段２６に記憶する。使用内容および決済金額Ｃｊが入力され、記憶手段２６に記憶されると、ステップａ５へ移行する。
【００４８】
ステップａ５では、処理手段２２が累積金額Ｃを演算し、この累積金額Ｃが記憶手段２６に記憶される上限金額Ｂ以下であるか否かを判定する。具体的には、まず処理手段２２が、管理サーバ８から取得した累積金額Ｃに決済金額Ｃｊを加算し、その累積額を演算する。入力手段２４によって複数の使用内容が入力される、たとえば複数の商品を購入する場合、これら全ての商品の決済金額Ｃｊが累積金額Ｃに加算される。具体的な演算式は、演算前の累積金額Ｃを累積金額Ｃoldとし、演算後の累積金額Ｃを累積金額Ｃnewとし、各使用内容に対して支払うべき決済金額Ｃｊ（ｊ＝１，２，３，４・・・）とすると、累積金額Ｃnewは、式（１）によって表わされる。
【００４９】
【数１】
2008040561.tif 000003
【００５０】
このようにして演算される累積金額Ｃ（累積金額Ｃnew）が、上限金額Ｂ以下か否かを判断する。上限金額Ｂは、たとえば３０００円であり、患者および看護者が１日に使用する金額で許容可能な上限の金額である。したがって上限金額Ｂは、患者毎に異なってもよい。上限金額Ｂ以下であると判断すると、ステップａ６へ移行する。
【００５１】
ステップａ６では、処理手段２２が、前記使用内容に対して決済する。具体的には、入力手段２４の決定キーが操作されると、演算された累積金額Ｃを記憶手段２６に記憶し、決済される。この決済が終了すると、ステップａ７へ移行する。
【００５２】
ステップａ７では、処理手段２２が記憶手段２６に記憶される使用内容および決済金額Ｃｊ、これらに関連付けた時刻情報および演算された累積金額Ｃを、ライン７を介して管理サーバ８の処理手段３１に伝送する。管理サーバ８に伝送すると、ステップａ８へ移行する。ステップａ８では、管理サーバ８の処理手段３１が記憶手段３５に、読取情報と一致する登録情報に関連付けて、使用内容、決済金額Ｃｊ、これらに関連付けた時刻情報および累積金額Ｃnewを更新書込みする。このようにして記憶手段３５に更新書込みされると、決済処理が終了する。
【００５３】
なお、決済処理では、ステップａ２で読取動作を行った患者が、施設利用者でないと判断された場合、ステップａ３で決済禁止情報が登録情報に関連付けて記憶されていると判断された場合、およびステップａ５で累積金額Ｃnewが上限金額Ｂを超えていると判断された場合、ステップａ９へ移行する。ステップａ９では、患者との取引を停止し、取引ができないことを表示手段２７によって表示する。表示手段２７に表示すると、決済処理が終了する。
【００５４】
ここで、管理サーバ８の処理手段３１は、時計手段３３から取得する時刻情報が時刻Ｔになると、各患者の利用者情報を決済管理サーバ１６へ伝送し、引落し処理が開始する。時刻Ｔは、たとえば２３時であり、このような判断工程を設けることによって、一日単位で以下の処理が行われる。利用者情報は、登録情報および各登録情報に関連付けて記憶される情報であり、具体的には、登録情報、ならびに登録情報に関連付けて記憶される使用内容、決済金額Ｃｊ、これらに関連付けた時刻情報および累積金額Ｃである。引落し処理は、前記決済処理と独立して行われる処理である。
【００５５】
図４は、決済管理サーバ１６によって行われる引落し処理の手順を示すフローチャートである。図５は、遠隔地閲覧表示装置１８の表示手段５１に表示される患者個別情報を示す図である。引落し処理を開始すると、ステップｂ１へ移行する。引落し処理は、処理手段３６によって決済管理サーバ１６の動作が行われる。ステップｂ１では、決済管理サーバ１６の処理手段３６が、管理サーバ８の処理手段３１から伝送される利用者情報を通信手段３７によって受信し、記憶手段４１に記憶させる。記憶手段４１に記憶させると、ステップｂ２へ移行する。
【００５６】
ステップｂ２では、各利用者情報に含まれる登録情報（以下、単に「対象情報」という）が割り当てられた患者の口座４４から、各利用者情報に含まれる累積金額Ｃをそれぞれ引落とす。各口座４４には、入金手段３９によって患者またはその家族から上限金額Ｂ以上の残高Ｆが予め入金されている。前記各口座４４から前記累積金額Ｃが引落とされると、前記口座４４の残高Ｆから累積金額Ｃがそれぞれ減算され、この減算された残高Ｆを口座４４の残高Ｆとして、預金記憶手段４３に更新書き込みされ、記憶される。このように各患者の口座４４から累積金額Ｃを引落とし、預金記憶手段４３に更新書込みされると、ステップｂ３へ移行する。ステップｂ３では、処理手段３６は、口座４４から引落された患者の累積金額Ｃをクリアして０にする。処理手段３１が累積金額Ｃをクリアすると、ステップｂ４へ移行する。
【００５７】
ステップｂ４では、処理手段３６が預金記憶手段４３に記憶される口座４４の残高Ｆが、上限金額Ｂ以上であるか否かを判断する。上限金額Ｂ以上であると判断すると、ステップｂ５へ移行する。
【００５８】
ステップｂ５では、処理手段３６が、引落しをした患者の利用者識別情報、前記患者の口座４４から累積金額Ｃを引落したこと、および金額がクリアされて０になった累積金額Ｃを含む決済完了情報を作成し、通信手段３７を介して、管理サーバ８の処理手段３１に伝送する。管理サーバ８の処理手段３１は、前記決済完了情報を受信すると、決済完了情報に含まれる利用者識別情報に一致する登録情報を検索し、前記一致する登録情報に関連付けて記憶されている累積金額Ｃに、決済完了情報に含まれる累積金額Ｃを更新書き込みし、また登録情報に関連付けらて記憶されている使用内容および決済金額Ｃｊを消去する。決済管理サーバ１６の処理手段３６が決済完了情報を伝送すると、ステップｂ６へ移行する。
【００５９】
ステップｂ６では、遠隔地閲覧手段１８の表示手段５１で表示させるための患者個別情報を作成する。残高関連情報である患者個別情報には、一日単位の、具体的にはその日の２３時から前日の２３時までの使用内容、決済金額Ｃｊ、決済時刻、累積金額Ｃおよび口座４４の残高Ｆが全て含まれる。決済時刻は、各使用内容について決済を行った時刻であり、使用内容に関連付けられている時刻情報である。処理手段３６は、患者個別情報を作成すると、患者個別情報を、患者の家族の家に設けられている遠隔地閲覧装置１８に伝送する。遠隔地閲覧装置１８の処理手段４７は、伝送される患者個別情報を通信手段４６を介して受信し、図５のように、この患者個別情報を表示手段５１に表示させる。
【００６０】
表示手段５１に表示される患者個別情報について、具体的に説明すると、決済を行った決済時刻、使用内容、決済金額Ｃｊ、累積金額Ｃおよび口座残高Ｆが表示されている。さらに一例を用いて詳細に説明すると、８時に、３２０円の朝食（Ａセット）を購入した場合、決済時刻が「８時」、使用内容が「朝食（Ａセット）」、決済金額Ｃｊが「３２０円」と表示される。さらにそれ以前の使用した形跡がないので、累積金額Ｃが「３２０円」と表示される。さらに１２時に、４００円の昼食（カレー）を購入すると、決済時刻が「１２時」、使用内容が「昼食（カレー）」、決済金額Ｃｊが「４００円」と表示される。１２時以前の累積金額Ｃが３２０円であるので、決済金額４００円が加算された累積金額Ｃが「７２０円」と表示される。これによって家族は、患者による病院２内でのカード使用状況を把握して監視することができ、また盗難などによる不正使用が行われていないかどうかを監視することもできる。処理手段３６が患者個別情報を伝送すると、引落し処理が終了する。このようにして決済および口座４４からの引落しが行われる。
【００６１】
本実施の形態では、先に管理サーバ８に決済完了情報を伝送し、その後遠隔地閲覧装置１８に患者個別情報を伝送しているけれども、逆であってもよく、また同時に伝送してもよい。
【００６２】
なお、ステップｂ４で、口座４４の残高Ｆが上限金額Ｂ未満であると判断すると、ステップｂ７へ移行する。ステップｂ７では、記憶手段４１に記憶され、口座４４の残高Ｆが上限金額Ｂ未満である患者に割り当てられる利用者識別情報に決済禁止情報が関連付けて記憶される、つまり付加される。決済禁止情報が関連付けて記憶されると、ステップｂ５へ移行する。ステップｂ７を経由して、ステップｂ５へ移行した場合、決済完了情報に決済禁止情報を含めて伝送される。
【００６３】
ステップｂ４の判断工程では、各患者の口座４４の残高Ｆが上限金額Ｂ以上であるか否かをそれぞれ判断し、判断された複数の口座４４のうち、その残高Ｆが上限金額Ｂ以上であると判断された口座４４については、ステップｂ５の処理が行われ、残高Ｆが上限金額Ｂ未満であると判断された口座４４については、ステップｂ７の処理が行われる。
【００６４】
管理サーバ８の処理手段３１は、決済禁止情報が含まれる決済完了情報を受信すると、決済完了情報に含まれる利用者識別情報に一致する登録情報に、決済禁止情報を関連付けて、記憶手段３５に記憶させる。これによって口座４４に入金されて、残高Ｆが上限金額Ｂ以上になるまで、決済禁止情報が付加されたままの状態となり、入金されて、残高Ｆが上限金額Ｂ以上になると、決済管理サーバ１６の処理手段３６が管理サーバ８の処理手段３１に決済禁止情報を消去させる。
【００６５】
以下では、このようにして構成される決済システム１が達成する効果について説明する。本実施の形態の決済システム１によれば、患者などの施設利用者は、カード読書き手段２３にカード１１を読取らせるだけで、決済を行うことができ、現金を持ち歩く必要がなく、使い勝手がよい。また予め定められる時刻Ｔ毎に、利用者情報を伝送し口座引落しするので、従来の第４の技術のように決済金額Ｃｊをその度毎に決済手段に伝送する必要がなく、通信費の節約が可能である。
【００６６】
さらに決済システム１では、時刻Ｔになると、利用者情報を決済管理サーバ１６に伝送する。したがって患者の口座４４から累積金額Ｃの引落し忘れがなく、確実に引落とされる。
【００６７】
本実施の形態の決済システム１によれば、累積金額Ｃが予め定められる上限金額Ｂを超えると、処理手段２２は、患者および看護者との取引を中止する。これによって患者が、１回または複数回の取引によって、上限金額Ｂ以上の金額を使用することを防止できる。患者および看護者の無駄遣いを防止することができ、また紛失または盗難などにあって、第三者が悪用し、多額の金銭が口座から引落とされるなどすることを防止できる。
【００６８】
本実施の形態の決済システム１によれば、決済管理サーバ１６の処理手段３６が、口座４４から金銭を引落とすと、施設利用者の口座４４の残高Ｆに関連する患者個別情報が遠隔地閲覧装置１８に伝送され、この患者個別情報が遠隔地閲覧装置１８の表示手段５１に表示される。遠隔地閲覧装置１８は、病院２および決済センター１５と異なる場所、具体的には、患者の家族の家１７に設置されている。これによって家１７であっても、遠隔地閲覧装置１８があれば、患者個別情報を見ることによって、患者の口座４４の残高Ｆに関連する情報を知ることができる。
【００６９】
本実施の形態の決済システム１によれば、口座４４の残高Ｆが上限金額Ｂ未満であると、登録情報に決済禁止情報が付加され、口座４４の残高Ｆが上限金額Ｂ以上になるまで維持される。これによって引落とす前に決済しても、確実に累積金額Ｃを確実に徴収することができ、代金を回収できないリスクをさらに抑制できる。
【００７０】
図６は、第２の実施の形態の決済システム１Ａの具体的な構成を示すブロック図である。決済システム１Ａは、実施の第１の形態の決済システム１に類似している。具体的には、カード読書き手段２３に代えてタグ読書き手段２３Ａが設けられ、取引端末６、管理サーバ３１および決済管理サーバ１８の処理手段２２，３１，３６の動作が異なる。決済システム１Ａの構成については、決済システム１と異なる構成についてだけ説明し、同一の構成については、同一の符号を付してその説明を省略する。
【００７１】
決済システム１Ａは、実施の第１の形態の決済システム１と異なり、ＩＣタグ１２によって決済可能に構成されている。ただし、決済に使用されるものは、ＩＣタグ１２に限定されるものではなく、情報を読書き可能な磁気カード１１であってもよく、読書き可能な情報記録媒体であればよい。
【００７２】
ＩＣタグ（以下、単に「タグ」という）１２は、たとえばＲＦＩＤタグであり、タグ１２には、利用者識別情報と決済において支払い可能な金銭額である残額Ａｉとが記憶されている。タグ読書き手段２３Ａは、いわゆるリーダライターであり、タグ１２がかざされると、タグ１２に記憶される利用者識別情報および残額Ａｉを読取り、また残額Ａｉを更新書込み可能に構成される。本実施の形態では、タグ１２また処理手段２２は、決済処理手段と、補充金額演算手段と、チャージ手段と、決済禁止手段とに相当する。
【００７３】
図７は、取引端末６Ａが管理サーバ８と協働して行う決済の手順を示すフローチャートである。図８は、決済管理サーバ１６によって行われる引落し処理の手順を示すフローチャートである。チャージ決済処理では、処理手段２２によって取引端末６Ａの動作が行われ、処理手段３１によって管理サーバ８の動作が行われる。また引落し処理では、処理手段３６によって決済管理サーバ１６の動作が行われる。以下では、決済システム１Ａを用いて決済する方法について説明する。
【００７４】
決済システム１の電源が投入されると、チャージ決済処理および引落し処理が開始し、チャージ決済処理は、ステップｃ１へ移行し、引落し処理は、ステップｄ１へ移行する。まずチャージ決済処理について説明し、必要に応じて引落し処理についても説明する。
【００７５】
ステップｃ１では、食堂３、売店４およびレンタル室５などで備えられるタグ読書き手段２３Ａにおいて、患者が読取動作を行ったか否か、具体的には、患者がタグ読書き手段２３Ａにタグ１２をかざしたか否かを判定する。読取動作がない場合、ステップｃ１へ戻り、繰返し読取動作があったか否かを判定する。読取動作があった場合、ステップｃ２へ移行する。
【００７６】
ステップｃ２では、タグ読書き手段２３Ａによって前記読取動作が行われたタグ１２から利用者識別情報および残額Ａｉを読取り、記憶手段２６に記憶させる。以下、タグ読書き手段２３Ａで読取った利用者識別情報を「読取情報」という。利用者識別情報を読取ると、ステップｃ３へ移行する。ステップｃ３では、ステップａ２と同様に複数の登録情報の中から、読取情報に一致する登録情報を検索する。一致する登録情報がある場合、施設利用者であると判断され、ステップｃ４へ移行する。
【００７７】
ステップｃ４では、読取動作が本日初回であるか否かを判断する。具体的には、予め定められる時刻Ｔから翌日の前記時刻Ｔまでの時間において、初めて行われた読取動作か否かを判断する。具体的な判断方法として、前記時間内に管理サーバ８に使用内容および決済金額Ｃｊが記憶されているか否かに基づいて、処理手段２２が判断する。本日初回であると判断すると、ステップｃ５へ移行する。
【００７８】
ステップｃ５では、処理手段２２が、タグ読書き手段２３Ａによってタグ１２から読取り、記憶手段２６に記憶される残額Ａｉが上限金額Ｂ未満か否かを判断する。前記残額Ａｉが上限金額Ｂ未満であると判断すると、ステップｃ６へ移行する。ステップｃ６では、処理手段２２が、ＩＣタグ１２に金額補充可能か否か、つまりチャージが可能か否かを、管理サーバ８を介して決済管理サーバ８に問い合わせる。具体的には、まず処理手段２２は、前記残額Ａｉと上限金額Ｂとに基づいて、チャージ金額Ｄを演算する。チャージ金額Ｄは、上限金額Ｂから前記残額Ａｉを減算した金額である。処理手段２２は、この演算されるチャージ金額Ｄと読取情報とを含むチャージ問合せ情報を、管理サーバ８を介して決済管理サーバ１６に伝送する。チャージ問合せ情報がチャージ情報に相当する。
【００７９】
このとき決済管理サーバ１６では、引落し処理が開始されており、ステップｄ１では、管理サーバ８からのチャージ問合せ情報を受信したか否かを判定している。換言すると、ステップｄ１では、決済管理サーバ１６の処理手段３６が、通信手段３７を介してチャージ問合せ情報を受信したか否かを判定している。受信していないと判定すると、ステップｄ１に戻り、繰返しチャージ問合せを受信したか否かを判定する。受信していると判定すると、ステップｄ２へと移行する。
【００８０】
ステップｄ２では、処理手段３６がチャージ問合せ情報に含まれる読取情報が割り当てられている患者の口座４４の残高Ｆがチャージ金額Ｄ以上か否かを判断する。残高Ｆがチャージ金額Ｄ以上であると判断すると、ステップｄ３へ移行する。ステップｄ３では、処理手段３６が、通信手段３７および管理サーバ８を介して、取引端末６Ａの処理手段２２にチャージ可能であることを示すチャージ可否情報を伝送する。このようにして決済管理サーバ１６からチャージ可否情報が伝送されると、ステップｄ４へ移行するとともに、チャージ決済処理のステップｃ６からステップｃ７へと移行する。
【００８１】
ステップｃ７では、処理手段２２が決済管理サーバ１６から伝送されるチャージ可否情報に基づいて、チャージの可否を判断する。引落し処理のステップｄ３で、チャージ可能であることを示すチャージ可否情報が送信されているので、処理手段２２は、チャージ可能と判断し、ステップｃ８へと移行する。ステップｃ８では、処理手段２２は、タグ読書き手段２３Ａによって、タグ１２に記憶されている残額Ａｉを上限金額Ｂに書き換えするとともに、記憶手段２６に記憶される残額Ａｉを上限金額Ｂに書き換える。残額Ａｉを上限金額Ｂに書き換える、つまり上限金額Ｂまでチャージすると、ステップｃ９へ移行する。
【００８２】
ステップｃ９では、処理手段２２が、管理サーバ８を介して、決済管理サーバ１６に引落し指示する引落し指示情報が伝送される。このように引落し指示情報が伝送されると、処理手段２２が表示手段２７に患者が取引可能であることを表示し、ステップｃ１０へ移行する。
【００８３】
引落し処理のステップｄ４では、決済管理サーバ１６の処理手段３６が引落し指示があるか否かを判断する。取引端末６の処理手段２２から引落し指示情報が伝送されているので、引落し指示があると判断し、ステップｄ５へ移行する。ステップｄ５では、読取情報が割り当てられる患者の口座４４からチャージ金額Ｄを引落し、引落し処理が終了する。
【００８４】
ステップｃ１０では、店員は、患者が取引可能であることを表示手段２７によって確認すると、入力手段２４によって、使用内容および使用内容ごとの決済金額Ｃｊを入力する。このとき処理手段２２は、時計手段２５から時刻情報を取得する。処理手段２２は、入力された使用内容および決済金額Ｃｊを時計手段２５から取得した時刻情報を関連付けて記憶手段２６に記憶する。記憶手段２６に記憶すると、ステップｃ１１へ移行する。
【００８５】
ステップｃ１１では、処理手段２２が残額Ａｉが決済金額Ｃｊ以上か否かを判断する。ステップｃ１０で複数の使用内容が入力された場合、処理手段２２は、残額Ａｉが残額各使用内容の決済金額Ｃｊを全て加算して得られる決済合計金額Ｃａ以上であるか否かを判断する。決済金額Ｃｊまたは決済合計金額Ｃａ以上であると判断すると、ステップｃ１２へ移行する。
【００８６】
ステップｃ１２では、処理手段２２が記憶手段２６に記憶される残額Ａｉから決済金額Ｃｊ（または決済合計金額Ｃａ）を減算し、タグ読書き手段２３Ａによって、減算された残額Ａｉにタグ１２に更新書換えする。残額Ａｉが書換えされると、ステップｃ１３へ移行する。
【００８７】
ステップｃ１３では、処理手段２２が、記憶手段２６に記憶される読取情報、使用内容、決済金額Ｃｊ、これらに関連付けて記憶される使用時刻を含む利用者情報を管理サーバ８に伝送する。伝送すると、ステップｃ１４へ移行する。
【００８８】
ステップｃ１４では、管理サーバ８の処理手段３１が、前記伝送される利用者情報を記憶手段３５に記憶させ、チャージ決済処理が終了する。
【００８９】
なお、引落し処理では、ステップｄ２で口座４４の残高Ｆがチャージ金額Ｄ未満であると判断すると、ステップｄ６へ移行する。ステップｄ６では、処理手段３６が通信手段３７および管理サーバ８を介して、取引端末６の処理手段２２にチャージ不可であることを示すチャージ可否情報を伝送する。チャージ可否情報を伝送すると、引落し処理が終了する。またステップｄ４で、予め定める時間引落し指示がない場合、引落し指示がないと判断し、引落し処理が終了する。
【００９０】
なお、チャージ決済処理では、ステップｃ２で読取動作を行った患者が、施設利用者でないと判断された場合、ステップｃ７でステップｄ６で伝送されるチャージ可否情報に基づいて、チャージ不可と判断された場合、またはステップｃ１１で決済金額Ｃｊまたは決済合計金額Ｃａが上限金額Ｂを超えていると判断された場合、ステップｃ１４へ移行する。ステップｃ１４では、患者との取引を停止し、取引ができないことを表示手段２７によって表示する。表示手段２７によって表示すると、チャージ決済処理を終了する。
【００９１】
さらに決済システム１Ａは、予め定められる時刻Ｔになると、管理サーバ８の記憶手段３５に記憶される利用者情報を決済管理サーバ１６に伝送し、記憶手段４１に記憶させる。決済管理サーバ１６は、記憶手段４１に記憶される利用者情報および預金記憶手段４３に記憶される各口座４４の残高Ｆに基づいて、各患者の家族の家１７に設けられている遠隔地閲覧装置１８に患者個別情報を伝送する。これによって実施の第１の形態の決済システム１と同様に、病院２外および決済センター１５外であっても、家１７で患者の決済状況を確認することができ、決済状況を確認することによって患者の生活状態を確認することができる。患者個別情報を伝送すると、管理サーバ８の記憶手段３５に記憶される利用者情報を消去される。
【００９２】
以下に、このような構成を有する決済システム１Ａが達成する効果について説明する。本実施の形態の決済システム１Ａによれば、患者は、タグ読書き手段２３Ａにタグ１２を読取らせるだけで、決済を行うことができ、現金を持ち歩く必要がなく、使い勝手がよい。またその日の初回の読取動作時に、チャージ金額Ｄが演算され、口座４４から前記チャージ金額Ｄが引落とされるので、従来の第４の技術のように決済金額Ｃｊをその度毎に決済手段に伝送する必要がなく、通信費の節約が可能である。
【００９３】
また本実施の形態の決済システム１Ａによれば、残高Ａｉが上限金額Ｂ以上に補充されることがなく、かつその日に一回だけの補充がなされるので、病院２内で多額の金銭が使用されることを抑制できる。
【００９４】
本実施の形態の決済システム１Ａによれば、タグ１２に記憶される残額Ａｉが負の値になる場合、つまり残額Ａｉが決済金額Ｃｊまたは決済合計金額Ｃａ未満である場合、処理手段２２によって、患者との取引を中止する。これによって患者の無駄遣いを防止することができ、また紛失または盗難などにあって、第三者が悪用し、多額の金額が口座から引落とされるなどすることを防止できる。
【００９５】
本実施の形態の決済システム１Ａによれば、口座４４の残高Ｆがチャージ額Ｄ以上であるか否か、つまりチャージ金額Ｄが口座４４から引落とせるか否かを判定した上で、チャージ金額Ｄの残額Ａｉへの加算および口座４４からの引落しが行われる。これによって患者の過度の利用に伴い、患者が負債を抱え、代金の徴収不能になることを防止できる。これによって代金の回収ができないリスクを防止できる。
【００９６】
本実施の形態の決済システム１Ａによれば、予め定められる時刻Ｔ経過毎に、読取動作を行うだけで、残額Ａｉにチャージ金額Ｄを加算することができ、患者が自ら金額の補充をする必要がなく、使い勝手がよい。病人および老人は、タグ１２に金額を補充する作業を覚えることまたは補充作業自体が困難なことが多く、このような作業が伴わないので、特に使い勝手がよい。
【００９７】
本実施の形態の決済システム１Ａによれば、病院２外および決済センター１５外であっても、遠隔地閲覧装置１８があれば、患者の口座４４の残高Ｆに関連する患者個別情報を見ることができる。これによって患者の金銭の使用状況を確認することができ、さらにはこの使用状況から患者の生活状況も把握することができる。
【００９８】
口座４４からチャージ金額Ｄの引落しを行う前に、チャージを行なっているので、タグ読書き手段２３Ａによってタグ１２に書き込みできないなどのエラーがあった場合であっても、チャージ金額Ｄが口座４４から引落され、タグ１２にチャージされていないという事態を阻止でき、患者の損害を阻止できる。
【００９９】
本実施の形態では、チャージタイミングは、読取動作が本日最初に行なわれたときであるけれども、必ずしもこのようなタイミングに限定されない。ステップｃ４で処理手段２２が本日最初の読取動作か否かを判定することに代えて、ステップｃ４の前に、ステップｃ１０と同様に入力手段２４によって、使用内容および決済金額Ｃｊを入力させ、残額Ａｉから決済金額Ｃｊを減算した値が負の値か否かを判断し、負の値であると、ステップｃ５へ、負の値でなければ、ステップｃ１１へ移行するようにしてもよい。この場合、ステップｃ１０がステップｃ４より前に行なわれる。
【０１００】
本実施の形態の決済システム１Ａによれば、タグ１２の残額Ａｉが不足することが防止され、常に決済が可能である。また患者が自ら金額の補充をする必要がなく、使い勝手がよい。病人および老人は、タグ１２に金額を補充する作業が困難なことが多く、このような作業が伴わないので、特に使い勝手がよい。
【０１０１】
本実施の形態では、遠隔地閲覧装置１８に患者個別情報が伝送されて、遠隔地閲覧装置１８の表示手段５１によって患者個別情報が表示されるけれども、回線網１３に通信可能に接続されるサーバ装置に前記患者個別情報を記憶させておき、遠隔地閲覧装置１８でアクセスすることによって、表示装置５１に前記患者個別情報を表示可能に構成してもよい。これによって患者の家族は、前記サーバ装置にアクセスするだけで、患者個別情報を確認することができる。
【０１０２】
本実施の形態では、入金手段３９の一例として、ＡＴＭが挙げられ、入金方法として、ＡＴＭによって入金する方法を開示しているけれども、必ずしも、このような方法に限定されない。たとえば、患者の家族が振り込みことによって、患者の口座に入金してもよい。また遠隔地閲覧装置１８に、通信網１３を介して、患者の口座に入金する機能をもたせてもよい。
【図面の簡単な説明】
【０１０３】
【図１】本発明の実施の一形態である決済システム１の全体の構成を簡略化して示すブロック図である。
【図２】決済システム１の具体的な構成を示すブロック図である。
【図３】取引端末６と管理サーバ８とが協働して行う決済処理の手順を示すフローチャートである。
【図４】決済管理サーバ１６によって行われる引落し処理の手順を示すフローチャートである。
【図５】遠隔地閲覧表示装置１８の表示手段５１に表示される患者個別情報を示す図である。
【図６】第２の実施の形態の決済システム１Ａの具体的な構成を示すブロック図である。
【図７】取引端末６Ａが管理サーバ８と協働して行う決済の手順を示すフローチャートである。
【図８】決済管理サーバ１６によって行われる引落し処理の手順を示すフローチャートである。
【符号の説明】
【０１０４】
１  決済システム
６  取引端末
８  管理サーバ
１１  カード
１２  タグ
１３  通信網
１４  伝送手段
１５  決済センター
１６  決済管理サーバ
１８  遠隔地閲覧装置
２１  磁気ストライプ
２２，３１，３６，４７  処理手段
２３  カード読書き手段
２３Ａ  読書き手段
２４，３２，３８  入力手段
２５，３３，４０  時計手段
２６，４１  記憶手段
２７  表示手段
３９  入金手段
４３  預金記憶手段
【図１】
2008040561.tif 000004
【図２】
2008040561.tif 000005
【図３】
2008040561.tif 000006
【図４】
2008040561.tif 000007
【図５】
2008040561.tif 000008
【図６】
2008040561.tif 000009
【図７】
2008040561.tif 000010
【図８】
2008040561.tif 000011